(57)【要約】【課題】構造が簡易で安価に得られ、左右のロックロッドへの装着、施錠の作業が容易な封印金具を提供する。【解決手段】封印金具１は、観音開きの一対の扉２１の前面のロックロッド２２，２３を連結して封印する金具であり、第１及び第２の金具２，３と、両金具２，３を連結するコイルばね４とを具備する。第１の金具２は、一端側に第１のロックロッド２２に掛け止められるフック部５、他端側に受け入れ部７を有し、ロックロッド２２に直角に延びる。第２の金具３は、一端側に第２のロックロッド２３に掛け止められるフック部６を有し、他端側の挿入部８が第１の金具の受け入れ部７に伸縮自在に係合する。受け入れ部７に貫通孔９、挿入部８に貫通孔１０を有する。ロックロッド２２，２３にフック部５，６を掛け、合致した貫通孔９，１０に南京錠２４のシャックルを掛けて施錠する。【選択図】図１
2015134990.tif 000002
【特許請求の範囲】
【請求項１】
荷箱の開口を開閉する左右一対の観音開きの各扉の前面に取り付けられ、回転操作により扉を荷箱に対してロック・アンロックする縦方向左右一対の第1及び第２のロックロッドを連結して封印する金具であって、
一端側に前記第１のロックロッドに掛け止められるフック部を有し、ロックロッド直角に他端側へ延びる第１の金具と、
一端側に前記第２のロックロッドに掛け止められるフック部を有し、他端側において前記第１の金具に対してロックロッドに直交する方向に伸縮自在に係合する第２の金具と、
前記第１の金具と第２の金具とを互いに収縮方向に付勢するように連結するコイルばねとを具備し、
前記第１の金具は、他端側に、前記第２の金具の他端側を伸縮方向に相対移動自在に受け入れる受け入れ部を具備し、
前記第２の金具は、他端側に、前記第１の金具の受け入れ部内に伸縮方向に相対移動自在に挿入される挿入部を具備し、
前記第１の金具の受け入れ部は、伸縮方向に相互間隔を置いて複数列設された貫通孔を具備し、
前記第２の金具の挿入部は、前記受け入れ部の貫通孔に対向し前記第１の金具との相対位置に応じていずれかが当該貫通孔に重合するように伸縮方向に相互間隔を置いて複数列設された対応貫通孔を具備し、
前記第1及び第２のロックロッドに前記第１及び第２の金具のフック部を掛けた状態で、重合した前記貫通孔に南京錠のシャックルを掛けて施錠可能であることを特徴とする荷箱扉の封印金具。
【請求項２】
前記第１の金具は、帯板状の鋼板材を曲げ加工してなり、前記扉の前面に平行に伸縮方向に延びる主板部と、この主板部の一端側において扉側へ断面Ｊ字状に湾曲した前記フック部と、主板部の他端側所定長さ部分の上下両縁の扉側に断面コ字状に屈曲し相対向する受け入れ溝を形成するチャンネル片を有する前記受け入れ部とを具備し、当該主板部の他端側所定長さ部分に前記貫通孔を有し、
前記第２の金具は、帯板状の鋼板材を曲げ加工してなり、前記扉の前面に平行に伸縮方向に延びる主板部と、主板部の一端側所定長さ部分の上下両縁から扉側へ直角に延出する屈曲片を有する前記挿入部と、主板部の他端側において扉側へ断面Ｊ字状に湾曲した前記フック部とを具備し、当該主板部の一端側所定長さ部分に前記貫通孔を有し、
前記コイルばねは、前記第１及び第２の金具における主板部の扉側の面に沿うように配置され、一端側が第１の金具の主板部に、他端が第２の金具の主板部にそれぞれ係止されることを特徴とする請求項１に記載の荷箱扉の封印金具。
【発明の詳細な説明】
【技術分野】
【０００１】
本発明は、貨物自動車等の荷箱の開口を開閉する左右一対の観音開きの各扉の前面に取り付けられ、回転操作により扉を荷箱に対してロック・アンロックする縦方向左右一対のロックロッドを連結して封印する金具に関する。
【背景技術】
【０００２】
従来、海運用コンテナやトラックに積載されるコンテナの如き流通用コンテナの積み荷内容を保証するためのロック機構として特許文献１に記載されたものが知られている。このロック機構は、片端を一方のロックロッドに掛け止めるようにＵ字状に折り曲げ、他端に延びる部分に一定間隔で多数の透孔を設けた第一ロック部材と、片端を他方のロックロッドに掛け止めるようにＵ字状に折り曲げ、他端に上記第一ロック部材の透孔を設けた部分を受け入れるバックルと上記透孔に対し進退可能のピンプラグを有するシリンダ錠を取付けた第二ロック部材とからなり、シリンダ錠の鍵穴を上記Ｕ字状に折り曲げた側に開口させたものである。
【先行技術文献】
【特許文献】
【０００３】
【特許文献１】特開２００１−２０７７０６号公報
【発明の概要】
【発明が解決しようとする課題】
【０００４】
特許文献１に記載の積み荷保証ロック機構は、構造が複雑で、製造コストを高める一因となっており、また不使用時に２つのロック部材の相互係合が外れて散逸しやすいし、左右のロックロッドへの所望の装着高さ位置で仮止めできないので、所望の装着高さ位置に保持しながら施錠作業を行わなければならない不都合がある。
したがって、本発明は、構造が簡易で安価に得られ、左右のロックロッドへの装着、施錠の作業が容易な封印金具を提供することを目的としている。
【課題を解決するための手段】
【０００５】
以下、添付図面の符号を参照して説明するが、本発明はこれに限定されるものではない。
上記課題を解決するための、本発明の封印金具１は、荷箱の開口を開閉する左右一対の観音開きの各扉２１の前面に取り付けられ、回転操作により扉２１を荷箱に対してロック・アンロックする左右一対の第1及び第２のロックロッド２２，２３を連結して封印する金具である。この封印金具１は、第１及び第２の金具２，３と、両金具２，３を連結するコイルばね４とを具備する。第１の金具２は、一端側に第１のロックロッド２２に掛け止められるフック部５を有し、他端側がロックロッド２２に直角に延びる。第２の金具３は、一端側に第２のロックロッド２３に掛け止められるフック部６を有し、他端側において第１の金具に対してロックロッド２３に直交する方向に伸縮自在に係合する。コイルばね４は、第１の金具２と第２の金具３とを互いに収縮方向に付勢するように連結する。第１の金具２は、他端側に、第２の金具３の他端側を伸縮方向に相対移動自在に受け入れる受け入れ部７を具備する。第２の金具３は、他端側に、第１の金具２の受け入れ部７内に伸縮方向に相対移動自在に挿入される挿入部８を具備する。第１の金具２の受け入れ部７は、伸縮方向に相互間隔を置いて複数列設された貫通孔９を具備する。第２の金具３の挿入部８は、受け入れ部７の貫通孔９に対向し第１の金具２との相対位置に応じていずれかが当該貫通孔９に重合するように伸縮方向に相互間隔を置いて複数列設された対応貫通孔１０を具備する。第1及び第２のロックロッド２２，２３に第1及び第２の金具のフック部５，６を掛けた状態で、重合した貫通孔９，１０に南京錠２４のシャックルを掛けて施錠可能である。
【発明の効果】
【０００６】
本発明の荷箱の封印金具１は、構造が簡易で安価に得られ、左右のロックロッド２２，２３への装着、施錠の作業が容易である。第１、第２の金具２，３は、ばね４で連結されて保管時に収縮状態にあるので、コンパクトであり、また分離して散逸することがない。
【図面の簡単な説明】
【０００７】
【図１】本発明に係る封印金具の斜視図である。
【図２】図１の封印金具の正面である。
【図３】図１の封印金具の平面図である。
【図４】図１の封印金具の背面図である。
【図５】図２におけるＶ−Ｖ断面図である。
【発明を実施するための形態】
【０００８】
図面を参照して本発明の実施の形態を説明する。
図２に示すように、例えば、トラックに搭載される荷箱は、後部の開口を開閉する左右一対の観音開きの扉２１を有する。扉２１の前面には、回転操作により扉２１を荷箱に対してロック・アンロックする左右一対の第1及び第２のロックロッド２２，２３が設けられる。封印金具１は、一対のロックロッド２２，２３を連結して扉２１を封印する金具である。
【０００９】
封印金具１は、第１及び第２の金具２，３と、両金具２，３を連結するコイルばね４とを具備する。第１の金具２は、一端側に第１のロックロッド２２に掛け止められるフック部５を有し、他端側がロックロッド２２，２３に対して直角に延びる。第２の金具３は、一端側に第２のロックロッド１３に掛け止められるフック部６を有し、他端側がロックロッド２２，２３に対して直角に延び、他端側において第１の金具２に対してロックロッド２２，２３に直交する方向に伸縮自在に係合する。コイルばね４は、第１の金具２と第２の金具３とを互いに収縮方向に付勢するように連結する。
【００１０】
第１の金具２は、他端側に、第２の金具３の他端側を伸縮方向に相対移動自在に受け入れる受け入れ部７を具備する。第２の金具３は、他端側に、第１の金具２の受け入れ部７内に伸縮方向に相対移動自在に挿入される挿入部８を具備する。
【００１１】
第１の金具２の受け入れ部７は、伸縮方向に相互間隔を置いて複数列設された貫通孔９を具備する。第２の金具３の挿入部８は、受け入れ部７の貫通孔９に対向し、第１の金具２との相対位置に応じていずれかが当該貫通孔９に重合するように伸縮方向に相互間隔を置いて複数列設された対応貫通孔１０を具備する。
【００１２】
第1及び第２のロックロッド２２，２３に、第1及び第２の金具２，３のフック部５，６を掛けた状態で、重合した貫通孔９，１０に、南京錠２４のシャックルを掛けて施錠可能である。
【００１３】
すなわち、第１の金具２は、帯板状の鋼板材を曲げ加工してなり、扉２１の前面に平行に、伸縮方向に延びる主板部１１を具備する。フック部５は、主板部１１の一端側において扉２１側へ断面Ｊ字状に湾曲する。受け入れ部７は、主板部１１の他端側所定長さ部分に設けられ、主板部１１の上下両縁の扉側に断面コ字状に屈曲し相対向して受け入れ溝１２を形成するチャンネル片１３を有する。貫通孔９は、主板部１１の他端側所定長さ部分に設けられる。
【００１４】
第２の金具３は、同様に、帯板状の鋼板材を曲げ加工してなり、扉の前面に平行に、伸縮方向に延びる主板部１４を具備する。挿入部８は、主板部１４の他端側所定長さ部分に設けられ、主板部１４の上下両縁から扉側へ直角に延出する屈曲片１５を有する。貫通孔１０は、主板部１４の他端側所定長さ部分に設けられる。フック部６は、主板部１４の一端側において扉２１側へ断面Ｊ字状に湾曲する。
【００１５】
ばね４は、第１、第２の金具２，３の主板部１１，１４に扉側へ起立するように形成された切り起こし片１６，１７に係止される。
【００１６】
第２の金具３の主板部１４の他端側には、収縮時に第１の金具２の起こし片１６を相対移動自在に受け入れるスリット１８が形成される。
【００１７】
封印金具１を使用するには、ばね４を引き伸ばしつつ、第１、第２の金具２，３を伸張させて、フック部５，６をロックロッド２２，２３に掛け止める。この状態で、手を離すと、ばね４の付勢力で第１、第２の金具２，３間が縮まり、封印金具１は、掛け止め位置でロックロッド２２，２３上に保持される。この状態で、いずれかの貫通孔９，１０を合致させ、南京錠２４のフックを挿通させて施錠する。封印金具１は、ロックロッド２２，２３を連結して施錠されるので、南京錠２４を外さなければ扉２１を開くことができない。
【００１８】
第１、第２の金具２，３は、ばね４で連結されて保管時に収縮状態にあるので、コンパクトであり、また分離して散逸することがない。
【符号の説明】
【００１９】
１    封印金具
２    第１の金具
３    第２の金具
４    コイルばね
５    フック部
６    フック部
７    受け入れ部
８    挿入部
９    貫通孔
１０  貫通孔
１１  主板部
１２  受け入れ溝
１３  チャンネル片
１４  主板部
１５  屈曲片
１６  切り起こし片
１７  切り起こし片
１８  スリット
２１  扉
２２  ロックロッド
２３  ロックロッド
【図１】
2015134990.tif 000003
【図２】
2015134990.tif 000004
【図３】
2015134990.tif 000005
【図４】
2015134990.tif 000006
【図５】
2015134990.tif 000007
【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
荷箱の開口を開閉する左右一対の観音開きの各扉の前面に取り付けられ、回転操作により扉を荷箱に対してロック・アンロックする縦方向左右一対の第1及び第２のロックロッドを連結して封印する金具であって、
一端側に前記第１のロックロッドに掛け止められるフック部を有し、ロックロッドに対して直角に他端側へ延びる第１の金具と、
一端側に前記第２のロックロッドに掛け止められるフック部を有し、他端側において前記第１の金具に対してロックロッドに直交する方向に伸縮自在に係合する第２の金具と、
前記第１の金具と第２の金具とを互いに収縮方向に付勢するように連結するコイルばねとを具備し、
前記第１の金具は、他端側に、前記第２の金具の他端側を伸縮方向に相対移動自在に受け入れる受け入れ部を具備し、
前記第２の金具は、他端側に、前記第１の金具の受け入れ部内に伸縮方向に相対移動自在に挿入される挿入部を具備し、
前記第１の金具の受け入れ部は、伸縮方向に相互間隔を置いて複数列設された第１の貫通孔を具備し、
前記第２の金具の挿入部は、前記受け入れ部の第１の貫通孔に対向し前記第１の金具との相対位置に応じていずれかが当該第１の貫通孔に重合するように伸縮方向に相互間隔を置いて複数列設された第２の貫通孔を具備し、
前記第1及び第２のロックロッドに前記第１及び第２の金具のフック部を掛けた状態で、重合した前記第１，第２の貫通孔に南京錠のシャックルを掛けて施錠可能であることを特徴とする荷箱扉の封印金具。
【請求項２】
前記第１の金具は、帯板状の鋼板材を曲げ加工してなり、前記扉の前面に平行に伸縮方向に延びる主板部と、この主板部の一端側において扉側へ断面Ｊ字状に湾曲した前記フック部と、主板部の他端側所定長さ部分の上下両縁の扉側に断面コ字状に屈曲し相対向する受け入れ溝を形成するチャンネル片を有する前記受け入れ部とを具備し、当該主板部の他端側所定長さ部分に前記第１の貫通孔を有し、
前記第２の金具は、帯板状の鋼板材を曲げ加工してなり、前記扉の前面に平行に伸縮方向に延びる主板部と、主板部の一端側所定長さ部分の上下両縁から扉側へ直角に延出する屈曲片を有する前記挿入部と、主板部の他端側において扉側へ断面Ｊ字状に湾曲した前記フック部とを具備し、当該主板部の一端側所定長さ部分に前記第２の貫通孔を有し、
前記コイルばねは、前記第１及び第２の金具における主板部の扉側の面に沿うように配置され、一端側が第１の金具の主板部に、他端が第２の金具の主板部にそれぞれ係止されることを特徴とする請求項１に記載の荷箱扉の封印金具。